(57)【特許請求の範囲】
【請求項１】
立ち姿勢で使用される草刈り鎌であって、
直線状の柄と、
前記柄の先端に固定されている刃と、を備え、
前記刃は、直線状の刃線を有し、一定の厚さで構成され、使用される際に、刃面に略平行で且つ前記刃線に略直角の方向に移動され、
前記刃は、複数の歯が並んでいることで前記刃線を構成している鋸刃であり、
前記複数の歯として、
互いに同じ高さを有し、互いに２本以上が連続するように並んでいる複数の第１歯からなる複数の第１歯群と、
前記第１歯の高さよりも低い高さを有し、前記第１歯群同士の間に１本ずつ配置されて前記刃線における前記第１歯群同士の間に窪みを形成している複数の第２歯と、を有していることを特徴とする
草刈り鎌。
【請求項２】
前記刃は、前記刃面及び前記柄のなす角度が１８０度及び鈍角で可変であると共に、前記刃線及び前記柄のなす角度が１８０度及び鈍角で可変であることを特徴とする
請求項１に記載の草刈り鎌。
【発明の詳細な説明】
【技術分野】
【０００１】
本発明は、草刈り鎌に関する。
【背景技術】
【０００２】
特許文献１には、長い柄（例えば、１３５０ｍｍ又は１５００ｍｍの長さの柄）を有している鎌が開示されている。この鎌によれば、竹ぼうきで庭を掃くように人が立ったまま楽に草刈りができ、疲れない。
【先行技術文献】
【特許文献】
【０００３】
【特許文献１】実用新案登録第３２０８３７９号公報
【発明の概要】
【発明が解決しようとする課題】
【０００４】
上記鎌の刃は、湾曲している内側に刃線を有している。このような鎌は、草刈りの際、掃き掃除にはない動作（柄を引く等の動作）を要するものであり、使い勝手が若干悪い。
【０００５】
本発明は、上記課題を鑑みてなされたものであり、使い勝手を向上させた草刈り鎌を提供することを目的とする。
【課題を解決するための手段】
【０００６】
（１）本発明は、立ち姿勢で使用される草刈り鎌であって、直線状の柄と、前記柄の先端に固定されている刃と、を備え、前記刃は、直線状の刃線を有し、一定の厚さで構成され、使用される際に、刃面に略平行で且つ前記刃線に略直角の方向に移動され、前記刃は、複数の歯が並んでいることで前記刃線を構成している鋸刃であり、前記複数の歯として、互いに同じ高さを有し、互いに２本以上が連続するように並んでいる複数の第１歯からなる複数の第１歯群と、前記第１歯の高さよりも低い高さを有し、前記第１歯群同士の間に１本ずつ配置されて前記刃線における前記第１歯群同士の間に窪みを形成している複数の第２歯と、を有していることを特徴とする草刈り鎌である。
【０００７】
本発明によれば、刃が、直線状の刃線を有し、一定の厚さで構成され、使用される際に、刃面に略平行で且つ刃線に略直角の方向に移動されるタイプ（本明細書において「横刈りタイプ」と定義）のものであり、草をとらえる幅を広く設定できるので、竹ぼうきで地面を掃くように、すなわち、パターでゴルフボールをたたくように草刈り鎌を使うことができる。すなわち、人が立ったまま楽に草刈りができ、疲れない。そして、立ち姿勢で使用できるので、地面の近くに虫が出てきた場合であっても、虫との距離を保つことができる。そして、刃が、一定の厚さで構成されているので、すなわち、両面が平らであるので、細かい草を刈りながら地ならしをすることができる。これにより、周りがきれいになり、草刈りが楽しくなる。また、刃の両面が平らであるので、刃を裏返しにしておくことで、例えば、右利き用として使用していたものを左利き用として使用することができる。さらに、刃面が平らであるので、草刈り鎌を地面に置くだけで草刈りの準備ができ、準備が容易である。
【０００９】
本発明によれば、刃が、直線状の刃線を有しているので、歯に異物が引っ掛かり難い。また、刃線に窪みが形成されているので、その窪みで大きな草をとらえて刈ることができる。
【００１０】
（２）本発明はまた、前記刃は、前記刃面及び前記柄のなす角度が１８０度及び鈍角で可変であると共に、前記刃線及び前記柄のなす角度が１８０度及び鈍角で可変であることを特徴とする上記（１）に記載の草刈り鎌である。
【００１１】
本発明によれば、草が生えている場所に応じて、刃面及び柄のなす角度、並びに刃線及び柄のなす角度を設定することができる。刃面及び柄のなす角度を１８０度に設定した場合、土中で草を切ること、すなわち草を根っこごと刈ることができる。刃面及び柄のなす角度を鈍角（例えば、１６５度程度）に設定した場合、手の届かない場所（例えば、植込みの中など）について草刈りをすることができる。刃面及び柄のなす角度を鈍角（例えば、１５０度程度）に設定した場合、普通に生えている草を刈ることや、細かい草をまとめて刈ることができる。
【００１２】
なお、刃は、両面に加工のない平らなステンレス板で構成することができる。そして、付属の木製掃除具で刃線付近をこするだけで、歯の掃除を楽に行うことができる。また、草刈り鎌を使用する際、目の保護と手袋の着用を忘れずに行い、草刈りが終わった後、刃にカバーをして草刈り鎌を壁に掛けて、次の使用に備えることが求められる。
【発明の効果】
【００１３】
本発明の上記（１）及び（２）に記載の草刈り鎌によれば、使い勝手を向上させることができる。
【図面の簡単な説明】
【００１４】
【図１】本発明の実施形態に係る草刈り鎌の正面図である。
【図２】（Ａ）刃の正面図であり、（Ｂ）は刃線の拡大正面図である。
【図３】（Ａ）は柄側金具の側面図であり、（Ｂ）は柄側金具の正面図である。
【図４】（Ａ）は刃側金具の側面図であり、（Ｂ）は刃側金具の正面図である。
【図５】（Ａ）はガイドプレートの側面図であり、（Ｂ）はガイドプレートの正面図である。
【図６】刃及び刃側金具の側面図である。
【図７】草刈り鎌の要部を示す正面図であり、ロックピンを引き抜いた場合を示す。
【図８】草刈り鎌の要部を示す側面図であり、（Ａ）は刃面及び柄のなす角度を１８０度にした場合を示し、（Ｂ）は刃面及び柄のなす角度を鈍角にした場合を示す。
【図９】草刈り鎌の要部を示す正面図であり、（Ａ）は刃線及び柄のなす角度を１８０度にした場合を示し、（Ｂ）は刃線及び柄のなす角度を鈍角にした場合を示す。
【図１０】草刈り鎌の使用状態を示す概略図であり、（Ａ）は刃面及び柄のなす角度を１８０度にした場合を示し、（Ｂ）〜（Ｄ）は刃面及び柄のなす角度を鈍角にした場合を示す。
【図１１】草刈り鎌に用いる木製掃除具の外観斜視図である。
【発明を実施するための形態】
【００１５】
以下、図面を参照して、本発明の実施形態に係る草刈り鎌１について詳細に説明する。
【００１６】
まず、図１〜図９を用いて、草刈り鎌１について説明する。図１は、草刈り鎌１の正面図である。図２（Ａ）は、刃３の正面図である。図２（Ｂ）は、刃線２６の拡大正面図である。図３（Ａ）は、柄側金具５の側面図である。図３（Ｂ）は、柄側金具４，５の正面図である。図４（Ａ）は、刃側金具６の側面図である。図４（Ｂ）は、刃側金具６の正面図である。図５（Ａ）は、ガイドプレート６２の側面図である。図５（Ｂ）は、ガイドプレート６２の正面図である。図６は、刃３及び刃側金具６の側面図である。図７は、草刈り鎌１の要部を示す正面図であり、ロックピン６０を引き抜いた場合を示す。図８は、草刈り鎌１の要部を示す側面図である。図８（Ａ）は、刃面２３及び柄２のなす角度を１８０度にした場合を示す。図８（Ｂ）は、刃面２３及び柄２のなす角度を鈍角にした場合を示す。図９は、草刈り鎌１の要部を示す正面図である。図９（Ａ）は、刃線２６及び柄２のなす角度を１８０度にした場合を示す。図９（Ｂ）は、刃線２６及び柄２のなす角度を鈍角にした場合を示す。なお、各図において、一部の構成を適宜省略して、図面を簡略化する。
【００１７】
図１に示す草刈り鎌１は、立ち姿勢で使用される。具体的に、草刈り鎌１は、直線状の持ち手となる柄２と、柄２の先端に固定される刃３と、刃３を柄２の先端に固定する金具４，５，６と、柄２の先端に１対の柄側金具４，５を固定するためのボルト７，８及びナット９，１０と、１対の柄側金具４，５に刃側金具６を固定するためのボルト１１、ロックピン６０、蝶ナット１３、丸ナット１４及びナット６１と、ロックピン６０をガイドするガイドプレート６２と、ガイドプレート６２を固定するためのボルト６３，６４，６５，６６と、ロックピン６０が嵌め込まれたコイルスプリング６７と、刃側金具６に刃３を固定するためのボルト１５，１６、蝶ナット１７，１８等を備える。
【００１８】
柄２は、例えば、長さＬが１３５０ｍｍ又は１５００ｍｍで径φが２４ｍｍ又は２８ｍｍの木製である。柄２の外周面には、柄２の先端から一部の範囲を切り欠くことによって、１対の柄側金具４，５を固定するための互いに平行となる１対の切欠部１９，２０が形成されている。また、柄２の先端付近には、ボルト７，８を通すボルト孔２１，２２が、切欠部１９から切欠部２０に向けて貫通するように形成されている。
【００１９】
図１、図２及び図６に示す刃３は、直線状の刃線２６を有する鋸刃であり、一定の厚さで構成され、金具４，５，６によって柄２の先端に固定される。この刃３は、使用される際に、刃面２３に略平行で且つ刃線２６に略直角の方向に移動される。このような刃３は、刃面２３及び柄２のなす角度が１８０度（図８（Ａ）参照）及び鈍角（図８（Ｂ）参照）で可変であると共に、刃線２６及び柄２のなす角度が１８０度（図９（Ａ）参照）及び鈍角（図９（Ｂ）参照）で可変であり、種々の使用態様に対応する。刃３の刃元付近には、ボルト１５，１６を通すボルト孔２７，２８が、刃面２３を貫通するように形成されている。この刃３は、刃側金具６の先端側板４４に固定される姿勢が可変である。
【００２０】
直線状の刃線２６は、複数の歯２６ａ，２６ｂが並んでいることで構成されている。刃線２６を構成している複数の歯２６ａ，２６ｂとして、互いに同じ高さを有し、互いに２本以上（本実施形態では３本）が連続するように並んでいる複数（本実施形態では３本）の歯（第１歯）２６ａからなる複数の歯群（第１歯群）と、歯２６ａの高さよりも低い高さを有し、複数の歯２６ａからなる歯群同士の間に１本ずつ配置されて、刃線２６における複数の歯２６ａからなる歯群同士の間に窪みを形成している複数の歯２６ｂと、を有している。
【００２１】
図１及び図３に示す柄側金具４は、長尺の金属板を曲折することで一体に形成され、柄２の切欠部１９に配置される取付板２９と、取付板２９に対して略４５度曲折する曲折板３０と、曲折板３０に対して略４５度曲折して取付板２９と平行となる固定平板３１とを備える。取付板２９には、ボルト７，８を通すボルト孔３２，３３が貫通するように形成されている。固定平板３１には、ボルト１１を通すボルト孔３４と、ロックピン６０を通すボルト孔３５とが貫通するように形成されている。この柄側金具４は、取付板２９が柄２の切欠部１９に配置され、ボルト７，８及びナット９，１０によって柄２の先端に固定されることで、柄２の先端から柄２の長手方向に固定平板３１が突出する。
【００２２】
柄側金具５は、柄側金具４と同様、長尺の金属板を曲折することで一体に形成され、柄２の切欠部２０に配置される取付板３６と、取付板３６に対して略４５度曲折する曲折板３７と、曲折板３７に対して略４５度曲折して取付板３６と平行となる固定平板３８とを備える。取付板３６には、ボルト７，８を通すボルト孔３９，４０が貫通するように形成されている。固定平板３８には、ボルト１１を通すボルト孔４１と、ロックピン６０を通すボルト孔４２とが貫通するように形成されている。この柄側金具５は、取付板３６が柄２の切欠部２０に配置され、ボルト７，８及びナット９，１０によって柄２の先端に固定されることで、柄２の先端から柄２の長手方向に固定平板３８が突出する。
【００２３】
図１及び図４に示す刃側金具６は、Ｌ字形状の金属板を９０度捻ることで一体に形成され、１対の柄側金具４，５の固定平板３１，３８同士の間に重ねられるように配置される基端側板４３と、この基端側板４３に対して９０度捻れるように柄２の長手方向に連続する先端側板４４とを備える。基端側板４３には、ボルト１１を通すボルト孔４５と、ロックピン６０を通す複数のボルト孔４６，４７，４８とが貫通するように形成されている。複数のボルト孔４６，４７，４８のうち選択された１つのボルト孔には、ロックピン６０が通される。先端側板４４には、ボルト１５を通すボルト孔５０と、ボルト１６を通す複数のボルト孔５１，５２とが貫通するように形成されている。複数のボルト孔５１，５２のうち選択された１つのボルト孔には、ボルト１６が通される。この刃側金具６は、基端側板４３が、柄側金具４，５の固定平板３１，３８に直交しているボルト（回転軸）１１を中心として固定平板３１，３８に対して回動可能に取り付けられると共に、先端側板４４に刃３が重ねられている状態で固定されるものである。基端側板４３は、固定平板３１，３８に固定される姿勢が可変である。基端側板４３に形成されている複数のボルト孔４６〜４８は、柄側金具４，５の固定平板３１，３８に対する基端側板４３の回動に伴って、固定平板３１，３８が一つずつ有しているボルト孔３５，４２に順次対応する。
【００２４】
図１、図７及び図８に示すロックピン６０は、先端がねじ切られていると共に、基端が環状に形成されたフックボルトである。このロックピン６０は、ボルト孔３５，４２、及びボルト孔３５，４２に対応しているボルト孔４６〜４８を貫通（係止）することで、固定平板３１，３８に対する基端側板４３の回動のロックをする一方で、ボルト孔３５，４２、及びボルト孔３５，４２に対応しているボルト孔４６〜４８から退くことで、固定平板３１，３８に対する基端側板４３の回動のロックを解除する。
【００２５】
図１、図５及び図７に示すガイドプレート６２は、長尺の金属板を曲折することで一体に形成され、柄２と平行となるガイド平板６８と、ガイド平板６８の先端から固定平板３１に向けて湾曲する湾曲板６９と、を備える。ガイド平板６８には、ボルト７を通すボルト孔７０と、ボルト８を通すボルト孔７１と、ロックピン６０を通すガイド孔７２とが貫通するように形成されている。このガイドプレート６２は、ボルト７，８に固定されると共に、ロックピン６０を、固定平板３１，３８に対する基端側板４３の回動のロックをするロック位置（図１参照）、及び固定平板３１，３８に対する基端側板４３の回動のロックを解除する解除位置（図７参照）の間でガイドする。
【００２６】
図１及び図７に示すコイルスプリング６７は、ガイド孔７２にロックピン６０が通されているガイドプレート６２と、ロックピン６０が嵌め込まれたナット６１との間に配置され、ロックピン６０を、固定平板３１，３８に対する基端側板４３の回動のロックをするロック位置（図１参照）に付勢する。
【００２７】
次に、図１〜図９を用いて、草刈り鎌１の組立手順について説明する。
【００２８】
まず、柄２の切欠部１９に、柄側金具４の取付板２９を配置すると共に、柄２の切欠部２０に、柄側金具５の取付板３６を配置する。これにより、柄側金具５のボルト孔３９、柄２のボルト孔２１、及び柄側金具４のボルト孔３２が連続すると共に、柄側金具５のボルト孔４０、柄２のボルト孔２２、及び柄側金具４のボルト孔３３が連続する。
【００２９】
そして、ボルト７を、柄側金具５のボルト孔３９、柄２のボルト孔２１、柄側金具４のボルト孔３２の順に挿通してから、ナット９に螺合すると共に、ボルト８を、柄側金具５のボルト孔４０、柄２のボルト孔２２、柄側金具４のボルト孔３３の順に挿通してから、ナット１０に螺合する。これにより、１対の柄側金具４，５は、柄２の先端に固定され、柄２の先端から柄２の長手方向に固定平板３１，３８が突出する。１対の柄側金具４，５の固定平板３１，３８は、隙間を空けて互いに対面する。
【００３０】
さらに、ナット９と所望の間隔が空くようにナット６３をボルト７に螺合すると共に、ナット１０と所望の間隔が空くようにナット６５をボルト８に螺合する。そして、ガイドプレート６２のガイド平板６８が有しているボルト孔７０にボルト７を挿通すると共に、ガイド平板６８が有しているボルト孔７１にボルト８を挿通してから、ナット６４をボルト７に螺合すると共に、ナット６６をボルト８に螺合する。これにより、ガイドプレート６２が柄２と平行に柄２に固定される。
【００３１】
次に、１対の柄側金具４，５の固定平板３１，３８同士の間の隙間に、刃側金具６の基端側板４３を配置する。
【００３２】
刃３の刃面２３及び柄２のなす角度を１８０度にする場合、柄側金具４のボルト孔３４、刃側金具６のボルト孔４５、及び柄側金具５のボルト孔４１を連続させると共に、柄側金具４のボルト孔３５、刃側金具６のボルト孔４６、及び柄側金具５のボルト孔４２を連続させる。
【００３３】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４６、柄側金具５のボルト孔４２の順に挿通してから、丸ナット１４に螺合する。これにより、刃側金具６は、１対の柄側金具４，５に固定される（図８（Ａ）参照）。
【００３４】
刃３の刃面２３及び柄２のなす角度を鈍角にする場合、柄側金具４のボルト孔３４、刃側金具６のボルト孔４５、及び柄側金具５のボルト孔４１を連続させると共に、柄側金具４のボルト孔３５、刃側金具６のボルト孔４７、及び柄側金具５のボルト孔４２を連続させる。
【００３５】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４７、柄側金具５のボルト孔４２の順に挿通してから、丸ナット１４に螺合する。これにより、刃側金具６は、１対の柄側金具４，５に固定される。
【００３６】
または、柄側金具４のボルト孔３４、刃側金具６のボルト孔４５、及び柄側金具５のボルト孔４１を連続させると共に、柄側金具４のボルト孔３５、刃側金具６のボルト孔４８、及び柄側金具５のボルト孔４２を連続させる。
【００３７】
そして、ボルト１１を、柄側金具４のボルト孔３４、刃側金具６のボルト孔４５、柄側金具５のボルト孔４１の順に挿通してから、蝶ナット１３に螺合する。また、ガイドプレート６２のガイド孔７２、コイルスプリング６７、及びナット６１を連続させる。さらに、ロックピン６０を、ガイドプレート６２のガイド孔７２、コイルスプリング６７の順に挿通してから、ナット６１に螺合する。そして、そのロックピン６０を、柄側金具４のボルト孔３５、刃側金具６のボルト孔４８、柄側金具５のボルト孔４２の順に挿通してから、丸ナット１４に螺合する。これにより、刃側金具６は、１対の柄側金具４，５に固定される（図８（Ｂ）参照）。
【００３８】
なお、柄側金具４，５のボルト孔３５，４２に連続させる刃側金具６のボルト孔４７，４８は、刃３の刃面２３及び柄２のなす角度の鈍角の度合に応じて適宜選択される。
【００３９】
次に、刃側金具６の先端側板４４に、刃３における刃元側の刃面２３を重ねるように配置する。
【００４０】
刃３の刃線２６及び柄２のなす角度を１８０度にする場合、刃３のボルト孔２７、及び刃側金具６のボルト孔５０を連続させると共に、刃３のボルト孔２８、及び刃側金具６のボルト孔５１を連続させる。
【００４１】
そして、ボルト１５を、刃３のボルト孔２７、刃側金具６のボルト孔５０の順に挿通してから、蝶ナット１７に螺合すると共に、ボルト１６を、刃３のボルト孔２８、刃側金具６のボルト孔５１の順に挿通してから、蝶ナット１８に螺合する。これにより、刃３は、刃側金具６に固定される。すなわち、刃３は、金具４，５，６によって柄２の先端に固定される（図９（Ａ）参照）。
【００４２】
刃３の刃線２６及び柄２のなす角度を１８０度にする場合、刃３のボルト孔２７、及び刃側金具６のボルト孔５０を連続させると共に、刃３のボルト孔２８、及び刃側金具６のボルト孔５２を連続させる。
【００４３】
そして、ボルト１５を、刃３のボルト孔２７、刃側金具６のボルト孔５０の順に挿通してから、蝶ナット１７に螺合すると共に、ボルト１６を、刃３のボルト孔２８、刃側金具６のボルト孔５２の順に挿通してから、蝶ナット１８に螺合する。これにより、刃３は、刃側金具６に固定される。すなわち、刃３は、金具４，５，６によって柄２の先端に固定される（図９（Ｂ）参照）。
【００４４】
なお、刃３のボルト孔２８に連続させる刃側金具６のボルト孔５１，５２は、刃３の刃線２６及び柄２のなす角度の度合に応じて適宜選択される。
【００４５】
次に、図１及び図７を用いて、刃面２３及び柄２のなす角度を変更する手順を説明する。
【００４６】
まず、蝶ナット１３を緩める。そして、丸ナット１４をロックピン６０から取り外す。また、コイルスプリング６７の付勢力に抗してロックピン６０を引き抜く（図７参照）。さらに、ボルト１１を中心として、刃側金具６の基端側板４３を柄側金具４，５の固定平板３１，３８に対して回動させることで、刃面２３及び柄２のなす角度を変更する。
【００４７】
そして、ロックピン６０を差し込む。また、外しておいた丸ナット１４を元のロックピン６０に締め込む。さらに、蝶ナット１３をしっかり締めることで、作業を完了させる。
【００４８】
次に、図１０を用いて、草刈り鎌１の使用方法を説明する。図１０は、草刈り鎌１の使用状態を示す概略図である。図１０（Ａ）は、刃面２３及び柄２のなす角度を１８０度にした場合を示す。図１０（Ｂ）及び図１０（Ｃ）は、刃面２３及び柄２のなす角度を鈍角にした場合を示す。
【００４９】
図１０（Ａ）に示す草刈り鎌１の使用状態は、一般的な鎌のように刃面２３と柄２のなす角度を１８０度にしたものである。これによれば、土中で草を切ること、すなわち草を根っこごと刈ることができる。図１０（Ｂ）に示す草刈り鎌１の使用状態は、刃面２３と柄２のなす角度をつけたものである。これによれば、手の届かない場所（例えば、植込みの中など）について草刈りをすることができる。図１０（Ｃ）に示す草刈り鎌１の使用状態は、刃面２３と柄２のなす角度を更につけたものである。これによれば、普通に生えている草を刈ることや、細かい草をまとめて刈ることができる。
【００５０】
次に、図１１を用いて、草刈り鎌１に用いる木製掃除具１００の構成について説明する。図１１は、草刈り鎌１に用いる木製掃除具１００の外観斜視図である。
【００５１】
図１１に示す木製掃除具１００は、歯２６ａ，２６ｂの掃除に用いられ、また、蝶ナット１３，１７，１８の締緩に用いられる。具体的に、木製掃除具１００は、角材からなる掃除具本体１０１と、掃除具本体１０１の先端に差し込まれている蝶ナット用ドライバ１０２と、を備えている。蝶ナット用ドライバ１０２は、潰れた管のような形状の金具であり、蝶ナット１３，１７，１８が嵌まり込む大きさを有している。
【００５２】
以上説明したように、このような草刈り鎌１によれば、刃３が、直線状の刃線２６を有し、一定の厚さで構成され、使用される際に、刃面２３に略平行で且つ刃線２６に略直角の方向に移動される横刈りタイプのものであり、草をとらえる幅を広く設定できるので、竹ぼうきで地面を掃くように、すなわち、パターでゴルフボールをたたくように草刈り鎌を使うことができる。すなわち、人が立ったまま楽に草刈りができ、疲れない。そして、立ち姿勢で使用できるので、地面の近くに虫が出てきた場合であっても、虫との距離を保つことができる。そして、刃３が、一定の厚さで構成されているので、すなわち、両面が平らであるので、細かい草を刈りながら地ならしをすることができる。これにより、周りがきれいになり、草刈りが楽しくなる。また、刃３の両面が平らであるので、刃３を裏返しにしておくことで、例えば、右利き用として使用していたものを左利き用として使用することができる。さらに、刃面２３が平らであるので、草刈り鎌１を地面に置くだけで草刈りの準備ができ、準備が容易である。
【００５３】
そして、刃３が、直線状の刃線２６を有しているので、歯２６ａ，２６ｂに異物が引っ掛かり難い。また、刃線２６に窪みが形成されているので、その窪みで大きな草をとらえて刈ることができる。
【００５４】
さらに、草が生えている場所に応じて、刃面２３及び柄２のなす角度、並びに刃線２６及び柄２のなす角度を設定することができる。刃面２３及び柄２のなす角度を１８０度に設定した場合、土中で草を切ること、すなわち草を根っこごと刈ることができる。刃面２３及び柄２のなす角度を鈍角（例えば、１６５度程度）に設定した場合、手の届かない場所（例えば、植込みの中など）について草刈りをすることができる。刃面２３及び柄２のなす角度を鈍角（例えば、１５０度程度）に設定した場合、普通に生えている草を刈ることや、細かい草をまとめて刈ることができる。
【００５５】
なお、刃３は、両面に加工のない平らなステンレス板で構成することができる。そして、付属の木製掃除具１００で刃線２６付近をこするだけで、歯２６ａ，２６ｂの掃除を楽に行うことができる。また、草刈り鎌１を使用する際、目の保護と手袋の着用を忘れずに行い、草刈りが終わった後、刃３にカバーをして草刈り鎌１を壁に掛けて、次の使用に備えることが求められる。
【００５６】
なお、本発明は、上記実施形態に限定されるものではなく、その趣旨及び技術思想を逸脱しない範囲で種々の変更が可能である。すなわち、各構成の位置、大きさ、長さ、形状、材質などは適宜変更できる。例えば、刃３は、鋸刃に代えて、鋭利なものであってもよい。
【符号の説明】
【００５７】
１  草刈り鎌
２  柄
３  刃
４，５  柄側金具
６  刃側金具
７，８  ボルト
９，１０  ナット
１１  ボルト
１３  蝶ナット
１４  丸ナット
１５，１６  ボルト
１７，１８  蝶ナット
１９，２０  切欠部
２１，２２  ボルト孔
２３  刃面
２６  刃線
２６ａ  歯（第１歯）
２６ｂ  歯（第２歯）
２７，２８  ボルト孔
２９，３６  取付板
３０，３７  曲折板
３１，３８  固定平板
３２，３３，３４  ボルト孔
３５  ボルト孔
３９，４０，４１  ボルト孔
４２  ボルト孔
４３  基端側板
４４  先端側板
４５  ボルト孔
４６，４７，４８  ボルト孔
５０，５１，５２  ボルト孔
６０  ロックピン
６１  ナット
６２  ガイドプレート
６３，６４，６５，６６  ボルト
６７  コイルスプリング
６８  ガイド平板
６９  湾曲板
７０，７１  ボルト孔
７２  ガイド孔
１００  木製掃除具
１０１  掃除具本体
１０２  蝶ナット用ドライバ
【要約】
【課題】使い勝手を向上させる草刈り鎌を提供する。
【解決手段】草刈り鎌１は、立ち姿勢で使用される。この草刈り鎌１は、直線状の柄２と、柄２の先端に固定されている刃３と、を備えている。刃３は、直線状の刃線２６を有し、一定の厚さで構成され、使用される際に、刃面２３に略平行で且つ刃線２６に略直角の方向に移動される。この刃３は、複数の歯２６ａ，２６ｂが並んでいることで刃線２６を構成している鋸刃である。複数の歯２６ａ，２６ｂとして、互いに同じ高さを有し、互いに２本以上が連続するように並んでいる複数の第１歯２６ａからなる複数の第１歯群と、第１歯２６ａの高さよりも低い高さを有し、第１歯群同士の間に１本ずつ配置されて刃線２６における第１歯群同士の間に窪みを形成している複数の第２歯２６ｂと、を有している。
【選択図】図１【図１】
0006784471.tif 000002
【図２】
0006784471.tif 000003
【図３】
0006784471.tif 000004
【図４】
0006784471.tif 000005
【図５】
0006784471.tif 000006
【図６】
0006784471.tif 000007
【図７】
0006784471.tif 000008
【図８】
0006784471.tif 000009
【図９】
0006784471.tif 000010
【図１０】
0006784471.tif 000011
【図１１】
0006784471.tif 000012